(57)【要約】【課題】  大人用のシートベルトを子供用の３点式シートベルトとして簡易に利用できる。【解決手段】  第１シートベルト装置が、車両側壁の上部と下部間で架け渡され、長さを調整可能に設けられたウェビング５１と、該ウェビング５１に摺動可能に結合されたタング５４と、シート１の車両側壁とは反対側の側部下部に設けられ、タング５４を結合分離可能なバックル４１とで構成され、第２シートベルト装置が、一端がシート１の車両側壁側の側部下部に長さを調整可能に設けられたウェビング２２と、上記第１バックル４１と、ウェビング２２の他端に設けられ、バックル４１に結合分離可能なタング２３とで構成され、第３シートベルト装置が、上記ウェビング２２と、ウェビング２２に摺動可能に結合され、バックル４１に結合分離可能なタング２４と、シート１の側部上部に設けられ、上記タング２３を結合分離可能なバックル３１とで構成されている。【選択図】        図１
2005161955.tif 000002
【特許請求の範囲】
【請求項１】
一端がシートのシートクッションの左右一側において該シート又は車体に結合され、長さを調整可能に設けられたウェビングと、前記シートのシートクッションの左右他側において該シートまたは車体に固定された第１バックルと、前記シートのシートバックの左右一側において該シートまたは車体に固定された第２バックルと、前記ウェビングの他端に設けられ、前記第１バックルないし第２バックルに選択的に結合分離可能な第１タングと、前記ウェビングに摺動可能に結合され、前記第１バックルに結合分離可能な第２タングと、を備え、前記第２タングを前記第１バックルから分離し、かつ前記第１タングを前記第１バックルに結合することにより大人用の２点式シートベルトとして前記シートへの着座者の腰部を保持可能で、前記第１タングを前記第２バックルに結合し、かつ前記第２タングを前記第１バックルに結合することにより、子供用の３点式シートベルトとして前記シートへの着座者の腰部および胸部を保持可能なシートベルト装置。
【請求項２】
車両前方向きと車両後方向きに回転可能なシート用で、該シートが車両前方向きのときに大人が使用するための第１シートベルト装置と、該シートが車両後方向きのときに大人が使用するための第２シートベルト装置と、該シートが車両前向きおよび車両後向きのときに子供が使用するための第３シートベルト装置とを備えるシートベルト装置であって、前記第１シートベルト装置が、車両側壁の上部と下部間で架け渡され、長さを調整可能に設けられた第１ウェビングと、該第１ウェビングに摺動可能に結合された第１タングと、前記シートの前記車両側壁とは反対側の側部下部に設けられ、前記第１タングを結合分離可能な第１バックルとで構成され、前記第２シートベルト装置が、一端が前記シートの前記車両側壁側の側部下部に長さを調整可能に設けられた第２ウェビングと、前記第１バックルと、該第２ウェビングの他端に設けられ、前記第1バックルに結合分離可能な第２タングとで構成されており、  前記第３シートベルト装置が、前記第２ウェビングと、該第２ウェビングに摺動可能に結合され、前記第１バックルに結合分離可能な第３タングと、前記シートの側部上部に設けられ、前記第２タングを結合分離可能な第２バックルとで構成されていることを特徴とするシートベルト装置。
【発明の詳細な説明】
【技術分野】
【０００１】
本発明はシートベルト装置に関し、特に、大人用の二点式シートベルトを子供用の３点式シートベルトとして利用できるシートベルト装置に関する。
【背景技術】
【０００２】
図６には従来のシートベルト装置の一例を示す。シートベルトのウェビング６１は車両側壁の下部に設けたベルトリトラクタ６３から引き出し長さを調整可能に引き出され、側壁上部のショルダアンカ６２へ架け渡された後、下方へ折り返されて車両フロアに設けた係止金具６４に結合されている。ウェビング６１の途中にはタング６５がウェビング６１に対して摺動可能に保持されている。また、車両側壁とは反対側のシート側面にはバックル６６が設けられている。車両前方へ向けたシート１に大人が着座する場合には、ショルダアンカ６２で折り返されて下方へ延びるウェビング６１を図の鎖線で示すように、シートバック１２前方とシートクッション１１上方を横切るように三角形状に引き出し、三角形の頂点に位置するタング６５を、車両側壁とは反対側のシート側面に設けたバックル６６に結合して、着座した乗員の胸部と腰部を保持する３点式シートベルトとして使用する。
【０００３】
シート１に子供Ｍが着座する場合には、シートクッション１１上に図６に示すように補助シート７を取り付けるが、大人用に設定してある３点式シートベルトは子供Ｍの体格には合わないため、引き出した上記ウェビング６１を補助シート７の左右の肘掛７１の下方に通して子供Ｍの腰部のみを保持する２点式シートベルトとして使用する。
【０００４】
一方、大人用のシートベルト装置として乗員の腰部のみを保持する２点式シートベルトを用いる場合がある。例えば回転式シートの場合、シートを後向きに先回させた状態では、前向きのときに使用する３点式シートベルトを適正に装着することができないため、別にこのような２点式シートベルトを設けている。後向き用のシートベルト装置を３点式ではなく２点式とするのは、前向き用のシートベルト装置の存在により、車両側壁に後向き用のシートベルト装置のショルダアンカを設置することができないからである。なお、特許文献１には、２点式シートベルトが記載されている。
【特許文献１】実開平６−１６１２９
【発明の開示】
【発明が解決しようとする課題】
【０００５】
しかし、補助シート７を使用した上記従来の装置では、３点式シートベルトを子供に対しては２点式シートベルトとしてしか利用できないという問題があった。
そこで本発明はこのような課題を解決するもので、大人用の２点式シートベルトを子供用の３点式シートベルトとして簡易に利用できるシートベルト装置を提供することを目的とする。
【課題を解決するための手段】
【０００６】
上記目的を達成するために、本第１発明では、一端がシート（１）のシートクッション（１１）の左右一側において該シート（１）又は車体に結合され、長さを調整可能に設けられたウェビング（２２）と、シート（１）のシートクッション（１１）の左右他側において該シート（１）または車体に固定された第１バックル（４１）と、シート（１）のシートバック（１２）の左右一側において該シート（１）または車体に固定された第２バックル（３１）と、ウェビング（２２）の他端に設けられ、第１バックル（４１）ないし第２バックル（３１）に選択的に結合分離可能な第１タング（２３）と、ウェビング（２２）に摺動可能に結合され、第１バックル（４１）に結合分離可能な第２タング（２４）と、を備え、第２タング（２４）を第１バックル（４１）から分離し、かつ第１タング（２３）を第１バックル（４１）に結合することにより大人用の２点式シートベルトとしてシート（１）への着座者の腰部を保持可能で、第１タング（２３）を第２バックル（３１）に結合し、かつ第２タング（２４）を第１バックル（４１）に結合することにより子供用の３点式シートベルトとしてシート（１）への着座者（Ｍ）の腰部および胸部を保持可能とする。
【０００７】
本第１発明においては、第１タングを第１バックルと結合した状態で、着座した大人の腰部を保持する２点式シートベルトとして使用でき、第１タングを第２バックルに結合するとともに、第２タングを第１バックルに結合すれば、着座した子供の腰部および胸部を保持する３点式シートベルトとして使用することができる。
【０００８】
本第２発明では、車両前方向きと車両後方向きに回転可能なシート用で、該シートが車両前方向きのときに大人が使用するための第１シートベルト装置と、該シートが車両後方向きのときに大人が使用するための第２シートベルト装置と、該シートが車両前向きおよび車両後向きのときに子供が使用するための第３シートベルト装置とを備えるシートベルト装置であって、
上記第１シートベルト装置が、車両側壁の上部と下部間で架け渡され、長さを調整可能に設けられた第１ウェビング（５１）と、該第１ウェビング（５１）に摺動可能に結合された第１タング（５４）と、シート（１）の車両側壁とは反対側の側部下部に設けられ、第１タング（５４）を結合分離可能な第１バックル（４１）とで構成され、
上記第２シートベルト装置が、一端がシート（１）の車両側壁側の側部下部に長さを調整可能に設けられた第２ウェビング（２２）と、上記第１バックル（４１）と、該第２ウェビング（２２）の他端に設けられ、第1バックル（４１）に結合分離可能な第２タング（２３）とで構成されており、
上記第３シートベルト装置が、上記第２ウェビング（２２）と、該第２ウェビング（２２）に摺動可能に結合され、第１バックル（４１）に結合分離可能な第３タング（２４）と、シート（１）の側部上部に設けられ、第２タング（２３）を結合分離可能な第２バックル（３１）とで構成されている。
【０００９】
本第２発明においては、第１シートベルト装置を構成する第１タングと第１バックルを結合すれば、シートが車両前方向きのときに大人が３点式シートベルトとして使用することができる。また、第２シートベルト装置を構成する第２タングを第１バックルに結合すれば、シートが車両後方向きのときに大人が２点式シートベルトとして使用することができる。さらに、第３シートベルト装置を構成する第３タングを第１バックルに結合し、第２タングを第２バックルに結合すれば、シートが車両前方向きおよび車両後方向きのときに子供が３点式シートベルトとして使用することができる。
【００１０】
なお、上記カッコ内の符号は、後述する実施形態に記載の具体的手段との対応関係を示すものである。
【発明の効果】
【００１１】
以上のように、本発明のシートベルト装置によれば、大人用の２点式シートベルトを子供用の３点式シートベルトとして簡易に利用することができる。
【発明を実施するための最良の形態】
【００１２】
図１に示すシートは車両前方向きと車両後方向きに回転可能なシートであり、シートクッション１１とシートバック１２を備えている。以下にこのシート１に適用した本発明のシートベルト装置の一例を示す。図１に示すように、シートクッション１１の車両側壁側（図の左側）の側面後端にベルトリトラクタ２１が設けられて、ここにウェビング２２が引き出し長さを調整可能に巻き取られている。ベルトリトラクタ２１の開口から露出するウェビング２２の先端を掴んで引き出した状態を図２に示す。この図に示すようにウェビング２２の先端にはタング２３が固定されている。また、ウェビング２２にはタング２４が装着されている。タング２４には開口が形成され、この開口内をウェビング２２が挿通しており、これによりタング２４がウェビング２２に摺動可能に保持されている。シートバック１２（図１）の車両側壁側の側面上端にはバックル３１が設けられている。図３に示すように、バックル３１はウェビング３２を介してシートバック１２内のフレーム１３に結合されている。一方、シートクッション１１の車両側壁とは反対側の側面後端にバックル４１（図１）が設けられている。なお、車両側壁には従来技術で説明したと同様に、側壁下部のベルトリトラクタ５３から引き出し長さを調整可能に引き出されて、側壁上部のショルダアンカ５２へ架け渡されるウェビング５１が設けられ、当該ウェビング５１は、ショルダアンカ５２から下方へ折り返されて車両フロア又は側壁に設けた係止部材５５に結合されている。下方へ折り返されたウェビング５１の途中にはタング５４がウェビング５１に対して摺動可能に保持されている。
【００１３】
このような構造で、図１に示す車両前方へ向いたシート１に大人が着座する場合には、ショルダアンカ５２で折り返されて下方へ延びるウェビング５１を、鎖線で示すようにシートバック１２前方とシートクッション１１上方を横切るような三角形状に引き出し、三角形の頂点に位置するタング５４を、シート１側面に設けたバックル４１に結合して、３点式シートベルトとして、着座した大人の乗員の胸部と腰部を保持させる（以上、第１シートベルト装置としての使用）。
【００１４】
シート１を車両後方へ向けて大人が着座する場合には、バックル４１から上記タング５４を分離し、シート１を後方へ回転させる。この状態では、シート１とショルダアンカ５２との位置関係が変化するため上記第１シートベルト装置としての使用はできないとともに、車両衝突時に乗員の背中全体はシートバックで保持される。そこで、図４に示すように、ベルトリトラクタ２１からウェビング２２を引き出し、先端のタング２３をバックル４１に結合する。これにより、後方を向いた大人の乗員の腰部のみを保持する二点式シートベルトとして使用できる（以上、第２シートベルト装置としての使用）。
【００１５】
シート１に子供を着座させる場合には、ショルダアンカ５２で折り返されて下方へ延びる第１シートベルト装置のウェビング５１を前述のように三角形状に引き出したものでは、子供の体格に合わない。そこでこの場合には、図５に示すように、上記タング２３をバックル４１から分離し、ベルトリトラクタ２１からウェビング２２をさらに引き出して、引き出したウェビング先端の上記タング２３を、ショルダアンカ５２よりも低い位置にあるバックル３１に結合する。この後、ウェビング２２の中間に位置するタング２４をバックル４１に結合する。これにより、ウェビング２２は第１シートベルト装置を使用した場合よりも低い位置でシートバック１２前方とシートクッション１１上方を横切るように三角形状に引き出される。これにより、着座した子供の乗員の胸部と腰部を保持する３点式シートベルトとして使用できる（以上、第３シートベルト装置としての使用）。この第３シートベルト装置はシートに設けられているから、シートが車両前方向きあるいは車両後方向きのいずれの場合でも使用することができる。
【００１６】
上記実施形態では回転式車両用シートに本発明を適用した場合について説明したが、車両用シートは固定されたものでも良く、この場合は、ベルトリトラクタ２１、ウェビング２２およびバックル４１を車体側に設けることができる。また、子供用補助シート（ジュニアシート）を使用する場合にはこれに応じてバックル３１の設置高さを設定しておく。さらに、補助シートを使用する場合と使用しない場合とで上記バックル３１の高さを調整可能な構造とすることもできる。
【図面の簡単な説明】
【００１７】
【図１】本発明の一実施形態を示す、シートベルト装置を備えたシートの車両前方を向いた斜視図である。
【図２】シートベルト装置を備えたシートの要部斜視図である。
【図３】シートベルト装置を備えたシートの要部斜視図である。
【図４】シートベルト装置を備えたシートの車両後方を向いた斜視図である。
【図５】シートベルト装置を備えたシートの車両前方を向いた斜視図である。
【図６】従来のシートベルト装置を備えたシートの車両前方を向いた斜視図である。
【符号の説明】
【００１８】
１…シート、１１…シートクッション、１２…シートバック、２２…ウェビング、２３…タング、２４…タング、３１…バックル、４１…バックル、５１…ウェビング、５４…タング、Ｍ…子供。
【図１】
2005161955.tif 000003
【図２】
2005161955.tif 000004
【図３】
2005161955.tif 000005
【図４】
2005161955.tif 000006
【図５】
2005161955.tif 000007
【図６】
2005161955.tif 000008